(57)【特許請求の範囲】
【請求項１】
機器ケースとこの機器ケース内に配置されるモジュールとの間に緩衝部材を配置した緩衝構造において、
前記緩衝部材は、予め定められた周波数に対する振動伝達率がそれぞれ異なる複数の緩衝層を積層させて形成され、
前記複数の緩衝層は、少なくとも第１緩衝層と第２緩衝層とを備え、前記第１緩衝層は低い周波数の振動伝達率が低く形成され、前記第２緩衝層は前記第１緩衝層よりも高い周波数の振動伝達率が低く形成され、
前記第１緩衝層は予め定められた厚みを有する板状に形成され、前記第２緩衝層は前記第１緩衝層に配列された複数の突起部で形成されていることを特徴とする緩衝構造。
【請求項２】
機器ケースとこの機器ケース内に配置されるモジュールとの間に緩衝部材を配置した緩衝構造において、
前記緩衝部材は、予め定められた周波数に対する振動伝達率がそれぞれ異なる複数の緩衝層を積層させて形成され、
前記緩衝部材は、前記モジュールの外周面とこれに対面する前記機器ケースの内周面との間に複数配置され、
前記機器ケースに前記モジュールを操作するための複数の押釦スイッチと、
前記複数の押釦スイッチの対向するそれぞれの位置に、前記緩衝部材に並設された押釦スイッチ受け部材とをさらに備え、
前記押釦スイッチ受け部材の高さは、前記緩衝部材と同じまたは若干低い高さとしたことを特徴とする緩衝構造。
【請求項３】
請求項２に記載の緩衝構造において、前記複数の緩衝層は、少なくとも第１緩衝層と第２緩衝層とを備え、前記第１緩衝層は低い周波数の振動伝達率が低く形成され、前記第２緩衝層は前記第１緩衝層よりも高い周波数の振動伝達率が低く形成されていることを特徴とする緩衝構造。
【請求項４】
請求項３に記載の緩衝構造において、前記第１緩衝層は予め定められた厚みを有する板状に形成され、前記第２緩衝層は前記第１緩衝層に配列された複数の突起部で形成されていることを特徴とする緩衝構造。
【請求項５】
請求項１に記載の緩衝構造において、前記緩衝部材は、前記第１緩衝層が短柱の板状に形成され、前記第２緩衝層の前記複数の突起部がそれぞれドーム状に形成されていることを特徴とする緩衝構造。
【請求項６】
請求項３に記載の緩衝構造において、前記第１緩衝層は硬度の硬いシリコーンゲルで形成され、第２緩衝層は前記第１緩衝層の硬度よりも柔らかいシリコーンゲルで形成されていることを特徴とする緩衝構造。
【請求項７】
請求項１〜請求項６のいずれかに記載の緩衝構造において、前記緩衝部材は、弾性を有する連続シートに複数配列されていることを特徴とする緩衝構造。
【請求項８】
請求項１に記載の緩衝構造において、前記緩衝部材は、前記モジュールの外周面とこれに対面する前記機器ケースの内周面との間に複数配置されていることを特徴とする緩衝構造。
【請求項９】
請求項８に記載の緩衝構造において、
前記機器ケースに前記モジュールを操作するための複数の押釦スイッチと、
前記複数の押釦スイッチの対向するそれぞれの位置に、前記緩衝部材に並設された押釦スイッチ受け部材とをさらに備え、
前記押釦スイッチ受け部材の高さは、前記緩衝部材と同じまたは若干低い高さとしたことを特徴とする緩衝構造。
【請求項１０】
請求項１〜請求項９のいずれかに記載の緩衝構造において、前記モジュールの下面とこれに対面する前記機器ケースの下面との間に前記緩衝部材からなる下部緩衝部材が配置され、前記モジュールの上面とこれに対面する前記機器ケースの上面との間に前記緩衝部材からなる上部緩衝部材が配置されていることを特徴とする緩衝構造。
【請求項１１】
請求項１〜請求項１０のいずれかに記載された緩衝構造を備えたことを特徴とする電子機器。
【発明の詳細な説明】
【技術分野】
【０００１】
この発明は、腕時計、携帯電話機、携帯情報処理端末機などの電子機器に用いられる緩衝構造およびそれを備えた電子機器に関する。
【背景技術】
【０００２】
例えば、腕時計の緩衝構造においては、特許文献１に記載されているように、腕時計ケースと、この腕時計ケース内に収納される時計モジュールとの間に、複数の緩衝部材を配置し、この複数の緩衝部材によって外部からの衝撃を緩衝して時計モジュールを保護するように構成されたものが知られている。
【先行技術文献】
【特許文献】
【０００３】
【特許文献１】特開２０１１−９５０２５号公報
【０００４】
この種の緩衝構造は、腕時計ケースが外部から衝撃を受けた際に弾性変形して外部衝撃を吸収する第１緩衝部材と、この第１緩衝部材を除く位置に配置されて腕時計ケースが外部から衝撃を受けた際にその衝撃を第１緩衝部材よりも先に受けて、その衝撃力に応じて体積変化して外部衝撃を逃がすように吸収する第２緩衝部材とを備えている。
【発明の概要】
【発明が解決しようとする課題】
【０００５】
しかしながら、このような腕時計の緩衝構造では、第１緩衝部材と第２緩衝部材とがそれぞれ別々に形成されて、腕時計ケースと時計モジュールとの間におけるそれぞれ異なる位置に配置されている構成であるから、腕時計ケースが外部から受ける衝撃などの振動を第１緩衝部材と第２緩衝部材とで個別に緩衝するため、衝撃などの振動を効率良く緩衝することができないという問題がある。
【０００６】
すなわち、腕時計ケースが外部から受ける衝撃などの振動のうち、高い周波数の振動が長時間に亘り継続的に加わった際には、その高い周波数の振動を第１緩衝部材と第２緩衝部材とによって確実に且つ良好に緩衝することができず、時計モジュールを十分に保護することができないという問題がある。
【０００７】
この場合、腕時計ケースが外部から受ける衝撃などの振動は、低い周波数から高い周波数まで様々な周波数が合成されている。この合成された周波数の振動が例えば５００Ｈｚを超える超高い周波数である場合には、この超高い周波数の振動によって時計モジュールの各種の部品が共振し、部品の金属が削れて時計モジュールが損傷する危険性がある。
【０００８】
この発明が解決しようとする課題は、外部からの衝撃などの振動を効率良く良好に緩衝することができる緩衝構造および電子機器を提供することである。
【課題を解決するための手段】
【０００９】
この発明は、機器ケースとこの機器ケース内に配置されるモジュールとの間に緩衝部材を配置した緩衝構造において、前記緩衝部材は、予め定められた周波数に対する振動伝達率がそれぞれ異なる複数の緩衝層を積層させて形成され、前記複数の緩衝層は、少なくとも第１緩衝層と第２緩衝層とを備え、前記第１緩衝層は低い周波数の振動伝達率が低く形成され、前記第２緩衝層は前記第１緩衝層よりも高い周波数の振動伝達率が低く形成され、前記第１緩衝層は予め定められた厚みを有する板状に形成され、前記第２緩衝層は前記第１緩衝層に配列された複数の突起部で形成されていることを特徴とする緩衝構造である。
また、この発明は、機器ケースとこの機器ケース内に配置されるモジュールとの間に緩衝部材を配置した緩衝構造において、前記緩衝部材は、予め定められた周波数に対する振動伝達率がそれぞれ異なる複数の緩衝層を積層させて形成され、前記緩衝部材は、前記モジュールの外周面とこれに対面する前記機器ケースの内周面との間に複数配置され、前記機器ケースに前記モジュールを操作するための複数の押釦スイッチと、前記複数の押釦スイッチの対向するそれぞれの位置に、前記緩衝部材に並設された押釦スイッチ受け部材とをさらに備え、前記押釦スイッチ受け部材の高さは、前記緩衝部材と同じまたは若干低い高さとしたことを特徴とする緩衝構造である。
【発明の効果】
【００１０】
この発明によれば、機器ケースが外部から衝撃などの振動を受けた際に、緩衝部材の複数の緩衝層によって周波数の低い振動と周波数の高い振動とをそれぞれ減衰させて緩衝することができるので、外部からの衝撃など振動を効率良く確実に緩衝してモジュールを良好に保護することができる。
【図面の簡単な説明】
【００１１】
【図１】この発明を腕時計に適用した一実施形態を示した拡大正面図である。
【図２】図１に示された腕時計のＡ−Ａ矢視における要部を示した拡大断面図である。
【図３】図２に示された腕時計ケース内の時計モジュールおよび各種の緩衝部材を拡大して示した要部の分解斜視図である。
【図４】図３に示された押えリングの外周面に設けられた側部緩衝部材を示した拡大図である。
【図５】図４に示された側部緩衝部材を示した要部の拡大斜視図である。
【図６】図５に示された側部緩衝部材の第１〜第５の各変形例を示し、（ａ）はその第１変形例を示した拡大斜視図、（ｂ）はその第２変形例を示した拡大斜視図、（ｃ）はその第３変形例を示した拡大斜視図、（ｄ）はその第４変形例を示した拡大斜視図、（ｅ）はその第５変形例を示した拡大斜視図、（ｆ）はその第６変形例を示した拡大斜視図である。
【図７】図５に示された側部緩衝部材の第７、第８の各変形例を示し、（ａ）はその第７変形例を示した拡大斜視図、（ｂ）はその第８変形例を示した拡大斜視図である。
【発明を実施するための形態】
【００１２】
以下、図１〜図５を参照して、この発明を指針式の腕時計に適用した一実施形態について説明する。
この腕時計は、図１および図２に示すように、腕時計ケース１を備えている。この腕時計ケース１の上部開口部には、時計ガラス２がパッキン２ａを介して装着されており、腕時計ケース１の下部には、裏蓋３が防水リング３ａを介して取り付けられている。
【００１３】
また、この腕時計ケース１内には、図２および図３に示すように、時計モジュール４が複数種類の側部緩衝部材５〜７を介して配置されている。この腕時計ケース１は、図１および図２に示すように、硬質の合成樹脂からなるケース本体８と、このケース本体８の外周面に設けられた２層構造のベゼル９とを備えている。
【００１４】
この場合、ケース本体８には、図２に示すように、金属製の補強部材８ａが内側上部から内部に向けて突出した状態でインサート成形によって設けられている。また、ベゼル９は、ケース本体８の外周面に設けられた軟質の合成樹脂からなる下側ベゼル９ａと、この下側ベゼル９ａの外表面に設けられて下側ベゼル９ａよりも少し硬い軟質の合成樹脂からなる上側ベゼル９ｂとを備え、この下側ベゼル９ａと上側ベゼル９ｂとがビス９ｃによってケース本体８に取り付けられている。
【００１５】
また、この腕時計ケース１における１２時側と６時側との各側部には、図１に示すように、時計バンド１０を取り付けるためのバンド取付部１１がそれぞれ設けられている。さらに、この腕時計ケース２における３時側および９時側の各側部には、それぞれ押釦スイッチ１２が２つずつ設けられている。
【００１６】
時計モジュール４は、図２および図３に示すように、硬質の合成樹脂からなるハウジング１３を備えている。このハウジング１３内には、指針１４を運針させるための時計ムーブメントなどの時計機能に必要な各種の電子部品（図示せず）が設けられている。また、このハウジング１３の上面には、文字板１５が配置されている。この文字板１５の周縁部上には、見切り部材１６がスペーサ部材１７を介して配置されている。
【００１７】
見切り部材１６は、硬質の合成樹脂からなり、図３に示すように、全体がリング状に形成されている。この場合、見切り部材１６の内周面は傾斜面１６ａに形成されており、この傾斜面１６ａには時刻目盛などの目盛１６ｂが表示されている。スペーサ部材１７は、見切り部材１６と同様、硬質の合成樹脂からなり、全体がリング状に形成されている。このスペーサ部材１７には、複数の上部緩衝部材７が設けられている。
【００１８】
この上部緩衝部材７は、ゴムやエラストマーなどの弾性材料からなり、スペーサ部材１７の所定箇所、例えば図３に示すように、１２時、４時、８時の３箇所に設けられている。この場合、上部緩衝部材７は、スペーサ部材１７の上面のみに設けられていても良く、またスペーサ部材１７の上面および下面の両方に設けられていても良く、更にスペーサ部材１７の上面から側面を経て下面に亘って設けられていても良い。
【００１９】
また、この上部緩衝部材７は、図３に示すように、スペーサ部材１７の表面、例えば上面、下面、側面のうち、この実施形態では上面から少し突出した状態で配置されているが、下面および側面から少し突出した状態で配置されていても良い。これにより、この上部緩衝部材７は、腕時計ケース１の時計ガラス２がその上方から衝撃を受けた際に、その衝撃を緩衝するように構成されている。
【００２０】
一方、時計モジュール４のハウジング１３の下面には、図２および図３に示すように、下部緩衝部材６が押え板１８を介して裏蓋３によって腕時計ケース１内に押し付けられた状態で配置されている。この場合、下部緩衝部材６は、ゴムやエラストマーなどの弾性材料、好ましくはシリコーンゲルからなり、平板状に形成されている。これにより、この下部緩衝部材６は、ハウジング１３の下面に配置され、この状態で裏蓋３がその下側から衝撃を受けた際に、その衝撃を緩衝するように構成されている。
【００２１】
ところで、ハウジング１３の外周面には、図２および図３に示すように、押えリング２０が配置されており、この押えリング２０の外周面には、側部緩衝部材５が配置されている。押えリング２０は、ポリアセタール（ＰＯＭ）などの硬質の合成樹脂または金属からなり、ハウジング１３の外周面に配置されるほぼ筒状に形成されている。この押えリング２０における３時側と９時側とには、複数の押釦スイッチ１２の各釦軸部（図示せず）がそれぞれ挿入する複数の切欠部２０ａが設けられている。
【００２２】
一方、側部緩衝部材５は、図３に示すように、押えリング２０に設けられた複数の切欠部２０ａを除いて、押えリング２０の外周面に設けられ、腕時計ケース１の内周面と時計モジュール４のハウジング１３の外周面との間に押えリング２０と共に配置されるように構成されている。この側部緩衝部材５は、予め定められた周波数に対する振動伝達率がそれぞれ異なる第１緩衝層２１と第２緩衝層２２とを積層させて形成されている。
【００２３】
この場合、第１緩衝層２１は低い周波数の振動伝達率が低く、第２緩衝層２２は第１緩衝層２１よりも高い周波数の振動伝達率が低く形成されている。すなわち、この第１緩衝層２１と第２緩衝層２２とは、ゴムやエラストマーなどの弾性材料、好ましくはシリコーンゲルで形成されている。また、第１緩衝層２１は、図４および図５（ａ）に示すように、予め定められた厚みを有する円板状に形成されており、第２緩衝層２２は、第１緩衝層２１上に配列される第１、第２の各突起部２２ａ、２２ｂによって形成されている。
【００２４】
この第２緩衝層２２の第１、第２の各突起部２２ａ、２２ｂのうち、第１突起部２２ａは、図４および図５（ａ）に示すように、第１緩衝層２１の中央部にドーム状に突出して形成されている。また、第２突起部２２ｂは、第１突起部２２ａの周囲に沿う複数個所、例えば４箇所に、第１突起部２２ａよりも小さい形状のドーム状に突出してそれぞれ形成されている。この場合、第１、第２の各突起部２２ａ、２２ｂは、その突出した高さがほぼ同じ高さで形成されている。
【００２５】
また、押釦スイッチ受け部材３７は、図３に示すように、押えリング２０の外周面の各押釦スイッチ１２に対向する位置に、側部緩衝部材５と並設されている。
さらに、腕時計ケース１の内周面と時計モジュール４のハウジング１３の外周面との間に押えリング２０と共に配置されている。
図４および図５（ｂ）に示すように、例えば、この押釦スイッチ受け部材３７は、側部緩衝部材５と同じ高さ、または若干低い高さで、低い周波数の振動伝達率が低い第１緩衝層３７ａで形成されている。
この押釦スイッチ受け部材３７は、対向する押釦スイッチ１２が押された場合に、腕時計ケース１の内周面に対する時計モジュール４の位置を保持するように構成されている。
これにより、押釦スイッチ１２の押し込みを、確実に時計モジュール４に伝えることができる。
【００２６】
また、この側部緩衝部材５と押釦スイッチ受け部材３７とは、図４に示すように、連続シート２３に順次連続して設けられている。この連続シート２３は、ゴムやエラストマーなどの弾性材料、好ましくはシリコーンゲルで形成され、押えリング２０の外周面に設けられている。これにより、側部緩衝部材５と押釦スイッチ受け部材３７とは、連続シート２３に個別に設けられていても良く、また連続シート２３に一体に形成されていても良い。
【００２７】
この場合、連続シート２３には、図４に示すように、側部緩衝部材５の第１緩衝層２１と押釦スイッチ受け部材３７の第１緩衝層３７ａとが設けられている。このため、側部緩衝部材５と押釦スイッチ受け部材３７とは、図２および図３に示すように、連続シート２３が押えリング２０の外周面に設けられてハウジング１３の外周面に配置され、この状態で腕時計ケース１内に配置された際に、少なくとも側部緩衝部材５の第１緩衝層２１に形成された第２緩衝層２２の第１、第２の各突起部２２ａ、２２ｂの各先端部が腕時計ケース１のケース本体８の内周面に接触するように構成されている。
【００２８】
これにより、側部緩衝部材５は、腕時計ケース１に外部から衝撃などの振動が加わった際に、第１緩衝層２１によって低い周波数の振動を減衰させて緩衝し、第２緩衝層２２によって高い周波数の振動を減衰させて緩衝することにより、腕時計ケース１に加わる様々な周波数の振動を第１緩衝層２１と第２緩衝層２２とによって緩衝するように構成されている。
【００２９】
この場合、第１緩衝層２１は、円板状に形成されていることにより、振動により加わる力を一極に集中させずに分散させると共に、捩れ方向の振動に対して伸びることで振動を減衰させるように構成されている。また、第２緩衝層２２は、第１、第２の各突起部２２ａ、２２ｂを配列させていることにより、高い周波数（例えば１００Ｈｚ〜３００Ｈｚ）および超高い周波数（例えば３００Ｈｚ〜２０００Ｈｚ）の振動を減衰させて緩衝するように構成されている。
【００３０】
次に、このような腕時計の作用について説明する。
この腕時計の腕時計ケース１に衝撃などの振動が加わり、その振動がベゼル９で吸収しきれなかった際には、その吸収しきれなかった衝撃などの振動を腕時計ケース１と時計モジュール４との間に設けられた複数種類の側部緩衝部材５〜７によって効率良く緩衝して、時計モジュール４を良好に保護する。
【００３１】
例えば、腕時計ケース１が裏蓋３側から衝撃などの振動を受けた際には、時計モジュール４のハウジング１３の下面に下部緩衝部材６が押え板１８によって配置されていることにより、この下部緩衝部材６によって裏蓋３側からの衝撃などの振動を緩衝し、時計モジュール４を保護することができる。
【００３２】
また、腕時計ケース１が時計ガラス２側から衝撃などの振動を受けた際には、時計モジュール４のハウジング１３と見切り部材１６との間に配置されたスペーサ部材１７に上部緩衝部材７が配置されていることにより、この上部緩衝部材７によって時計ガラス２側からの衝撃などの振動を緩衝し、時計モジュール４を保護することができる。
【００３３】
さらに、腕時計ケース１が外部から衝撃などの振動を受けてベゼル９で吸収しきれなかった際には、時計モジュール４のハウジング１３の外周面に押えリング２０によって側部緩衝部材５が配置されていることにより、この側部緩衝部材５によって腕時計ケース１の外部からの衝撃などの振動を緩衝し、時計モジュール４を保護することができる。
【００３４】
この場合、腕時計ケース１の外部から加わる衝撃などの振動が低い周波数の振動である場合には、側部緩衝部材５の第１緩衝層２１によって低い周波数の振動を減衰させて緩衝することができる。すなわち、この第１緩衝層２１は、シリコーンゲルからなり、円板状に形成され、低い周波数の振動伝達率が低く形成されていることにより、低い周波数の振動を第１緩衝層２１によって確実に減衰させることができる。
【００３５】
また、この第１緩衝層２１は、円板状に形成されていることにより、低い周波数の振動により加わる力を一極に集中させずに分散させると共に、捩れ方向の振動に対して伸びることで低い周波数の振動を減衰させて緩衝することができる。これにより、第１緩衝層２１によって様々な方向の低い周波数の振動を効率良く減衰させて緩衝することができる。
【００３６】
一方、腕時計ケース１の外部から加わる衝撃などの振動が高い周波数の振動である場合には、側部緩衝部材５の第２緩衝層２２によって高い周波数の振動を減衰させて緩衝することができる。すなわち、この第２緩衝層２２は、シリコーンゲルからなり、第１突起部２２ａと第２突起部２２ｂとによって形成されて、高い周波数の振動伝達率が低く形成されていることにより、高い周波数の振動を第２緩衝層２２によって確実に減衰させることができる。
【００３７】
この場合、第２緩衝層２２は、第１緩衝層２１の中央部にドーム状に突出して形成された第１突起部２２ａと、この第１突起部２２ａの周囲に第１突起部２２ａよりも小さい曲率のドーム状に突出してそれぞれ形成された複数の第２突起部２２ｂとを備えている。すなわち、第２突起部２２ｂは、第１突起部２２ａよりも小さい曲率のドーム状であるため、高い周波数の中でも特に高い周波数部分の振動伝達率が低く形成される。これにより、腕時計ケース１が高い周波数の振動を受けると、その高い周波数の振動を第１突起部２２ａと複数の第２突起部２２ｂとによって効率良く減衰させて緩衝することができる。
【００３８】
このときには、第１突起部２２ａと第２突起部２２ｂとは、その突出した高さがほぼ同じ高さで形成され、第１、第２の各突起部２２ａ、２２ｂの各先端部が腕時計ケース１のケース本体８の内周面に均一に接触していることにより、腕時計ケース１が高い周波数の振動を受けた際に、その高い周波数の振動を第１突起部２２ａと第２突起部２２ｂとによって効率良く減衰させて緩衝することができる。
【００３９】
このように、この腕時計の緩衝構造によれば、腕時計ケース１の内周面とこの腕時計ケース１内に配置される時計モジュール４の外周面との間に配置される側部緩衝部材５が、予め定められた周波数に対する振動伝達率がそれぞれ異なる複数の緩衝層２１、２２を積層させて形成されていることにより、腕時計ケース１が外部から衝撃などの振動を受けた際に、その振動を良好に減衰させて緩衝することができる。
【００４０】
すなわち、この腕時計の緩衝構造では、腕時計ケース１が外部から衝撃などの振動を受けた際に、側部緩衝部材５の複数の緩衝層２１、２２によって周波数の低い振動と周波数の高い振動とをそれぞれ減衰させて緩衝することができるので、外部からの衝撃などの振動を効率良く確実に緩衝して時計モジュール４を良好に保護することができる。
【００４１】
この場合、複数の緩衝層２１、２２は、第１緩衝層２１と第２緩衝層２２とを備え、第１緩衝層２１は低い周波数の振動伝達率が低く形成され、第２緩衝層２２は第１緩衝層２１よりも高い周波数の振動伝達率が低く形成されているので、第１緩衝層２１によって周波数の低い振動を減衰させて緩衝することができる共に、第２緩衝層２２によって周波数の高い振動を減衰させて緩衝することができ、これにより効率良く振動を緩衝することができる。
【００４２】
特に、第１緩衝層２１は、シリコーンゲルによって予め定められた厚みを有する円板状に形成されていることにより、振動により加わる力を一極に集中させずに分散させることができると共に、捩れ方向の振動に対して伸びるようにバランス良く変形することにより、捩れ方向の振動を効率良く減衰させて緩和することができる。また、第２緩衝層２２は、シリコーンゲルによって第１、第２の各突起部２２ａ、２２ｂを配列させていることにより、周波数の高い振動を第１、第２の各突起部２２ａ、２２ｂによって効率良く確実に減衰させて緩衝することができる。
【００４３】
このように、この側部緩衝部材５では、第１緩衝層２１と第２緩衝層２２とを同じ材質のシリコーンゲルで形成しても、第１緩衝層２１と第２緩衝層２２との形状が異なることにより、第１緩衝層２１と第２緩衝層２２との振動伝達率をそれぞれ異ならせることができる。このため、第１緩衝層２１によって周波数の低い振動を良好に減衰させて緩衝することができ、第２緩衝層２２によって周波数の高い振動を良好に減衰させて緩衝することができ、これにより効率良く振動を減衰させて緩衝することができ、時計モジュール４を確実に且つ良好に保護することができる。
【００４４】
この場合、第２緩衝層２２は、第１緩衝層２１の中央部にドーム状に突出して形成された第１突起部２２ａと、この第１突起部２２ａの周囲に第１突起部２２ａよりも小さい形状のドーム状に突出してそれぞれ形成された複数の第２突起部２２ｂとを備えているので、腕時計ケース１が高い周波数の振動を受けた際に、その高い周波数の振動を第１突起部２２ａと複数の第２突起部２２ｂとによって効率良く減衰させることができ、これにより、より一層、時計モジュール４を確実に且つ良好に保護することができる。
【００４５】
また、第１突起部２２ａと第２突起部２２ｂとは、その突出した高さがほぼ同じ高さで形成され、第１、第２の各突起部２２ａ、２２ｂの各先端部が腕時計ケース１の内周面に接触しているので、これによっても腕時計ケース１が高い周波数の振動を受けた際に、その高い周波数の振動を効率良く減衰させることができる。このため、第２緩衝層２２によって、高い周波数（例えば１００Ｈｚ〜３００Ｈｚ）および超高い周波数（例えば３００Ｈｚ〜２０００Ｈｚ）の振動を良好に減衰させて緩衝することができる。
【００４６】
また、この側部緩衝部材５は、弾性を有する連続シート２３に複数設けられていることにより、この連続シート２３によっても衝撃などの振動を緩衝することができるほか、腕時計ケース１と時計モジュール４との間に複数の側部緩衝部材５を配置する際に、複数の側部緩衝部材５を個別に配置する必要がなく、連続シート２３によって複数の側部緩衝部材５を一度に腕時計ケース１と時計モジュール４との間に配置することができる。
【００４７】
このため、時計モジュール４に対する複数の側部緩衝部材５の組付け作業性が良い。この場合、複数の側部緩衝部材５を連続シート２３に一体に形成した場合には、複数の側部緩衝部材５を個別に製作する必要がないので、複数の側部緩衝部材５および連続シート２３の生産性が良く、安価に製作することができる。
【００４８】
さらに、この腕時計の緩衝構造では、時計モジュール４の下面とこれに対面する腕時計ケース１の下面との間に下部緩衝部材６が配置され、時計モジュール４の上面とこれに対面する腕時計ケース１の時計ガラス２との間に上部緩衝部材７が配置されていることにより、腕時計ケース１が上下方向からの衝撃を受けた際に、下部緩衝部材６と上部緩衝部材７とによって、腕時計ケース１の上下方向からの衝撃を確実に且つ良好に緩衝することができる。
【００４９】
この場合、下部緩衝部材６は、ゴムやエラストマーなどの弾性材料、好ましくはシリコーンゲルからなり、平板状に形成され、時計モジュール４のハウジング１３の下面に押え板１８によって配置されているので、腕時計ケース１が裏蓋３側から衝撃を受けた際に、下部緩衝部材６によって裏蓋３側からの衝撃を緩衝し、時計モジュール４を良好に保護することができる。
【００５０】
また、上部緩衝部材７は、ゴムやエラストマーなどの弾性材料からなり、時計モジュール４のハウジング１３と見切り部材１６との間に配置されたスペーサ部材１７に配置されているので、腕時計ケース１が時計ガラス２側から衝撃を受けた際に、上部緩衝部材７によって時計ガラス２側からの衝撃を緩衝し、時計モジュール４を良好に保護することができる。
【００５１】
なお、上述した実施形態では、側部緩衝部材５が円板状の第１緩衝層２１と複数のドーム状の突起部２２ａ、２２ｂを有する第２緩衝層２２とを積層して形成されている場合について述べたが、これに限らず、例えば図６（ａ）〜図６（ｆ）に示す第１変形例〜第６変形例の各側部緩衝部材２５〜３０のように形成しても良い。
【００５２】
すなわち、図６（ａ）に示した第１変形例の側部緩衝部材２５は、円板状の第１緩衝層２５ａと、この第１緩衝層２５ａ上に配置される１つのドーム状の突起部からなる第２緩衝層２５ｂとを積層した構成になっている。このような側部緩衝部材２５においても、上述した実施形態と同様、第１緩衝層２５ａと第２緩衝層２５ｂとによって周波数の低い振動と周波数の高い振動とを減衰させて緩衝することができる。
【００５３】
また、図６（ｂ）に示した第２変形例の側部緩衝部材２６は、円板状の第１緩衝層２６ａと、この第１緩衝層２６ａよりも径の小さい円板状の第２緩衝層２６ｂとを積層した構成になっている。このような側部緩衝部材２６においても、上述した実施形態と同様、第１緩衝層２６ａと第２緩衝層２６ｂとによって周波数の低い振動と周波数の高い振動とを減衰させて緩衝することができる。
【００５４】
また、図６（ｃ）に示した第３変形例の側部緩衝部材２７は、円板状の第１緩衝層３１と、この第１緩衝層３１上に配列される複数の突起部３２ａ、３２ｂからなる第２緩衝層３２とを積層した構成になっている。この場合、第２緩衝層３２の第１突起部３２ａは、第１緩衝層３１上の中央部に円板状に形成されている。
【００５５】
また、第２緩衝層３２の第２突起部３２ｂは、第１突起部３２ａよりも小さい円板状をなし、第１突起部３２ａの周囲に沿って複数配列されて形成されている。このような側部緩衝部材２７においても、上述した実施形態と同様、第１緩衝層３１と第２緩衝層３２とによって周波数の低い振動と周波数の高い振動とを良好に減衰させて緩衝することができる。
【００５６】
また、図６（ｄ）に示した第４変形例の側部緩衝部材２８は、円板状の第１緩衝層２８ａと、この第１緩衝層２８ａよりも径の小さいほぼ十字形状の第２緩衝層２８ｂとを積層した構成になっている。このような側部緩衝部材２８においても、上述した実施形態と同様、第１緩衝層２８ａと第２緩衝層２８ｂとによって周波数の低い振動と周波数の高い振動とを減衰させて緩衝することができる。
【００５７】
さらに、図６（ｅ）に示した第５変形例の側部緩衝部材２９は、円板状の第１緩衝層２９ａと、この第１緩衝層２９ａよりも小さい四角形の板状の第２緩衝層２９ｂとを積層した構成になっている。このような側部緩衝部材２９においても、上述した実施形態と同様、第１緩衝層２９ａと第２緩衝層２９ｂとによって周波数の低い振動と周波数の高い振動とを減衰させて緩衝することができる。
【００５８】
また、図６（ｆ）に示した第６変形例の側部緩衝部材３０は、円板状の第１緩衝層３３と、この第１緩衝層３３上に配列される複数の突起部３４ａ、３４ｂからなる第２緩衝層３４とを積層した構成になっている。この場合、第２緩衝層３４の第１突起部３４ａは、第１緩衝層３３上の中央部に四角形の板状に形成されている。
【００５９】
また、第２緩衝層３４の第２突起部３４ｂは、第１突起部３４ａよりも小さい四角形の板状をなし、第１突起部３４ａの周囲に沿って複数配列されて形成されている。このような側部緩衝部材３０においても、上述した実施形態と同様、第１緩衝層３３と第２緩衝層３４とによって周波数の低い振動と周波数の高い振動とを良好に減衰させて緩衝することができる。
【００６０】
さらに、上述した実施形態およびその各変形例では、側部緩衝部材５、２５〜３０の第１緩衝層２１、２５ａ、２６ａ、２８ａ、２９ａ、３１、３３を円板状に形成した場合について述べたが、これに限らず、例えば四角形の板状に形成しても良く、また三角形や五角形などの多角形の板状に形成しても良く、あるいは楕円形などの板状に形成しても良い。
【００６１】
なおまた、上述した実施形態およびその各変形例では、側部緩衝部材５が円板状の第１緩衝層２１と複数のドーム状の突起部２２ａ、２２ｂを有する第２緩衝層２２とを積層して形成されている場合について述べたが、これに限らず、例えば図７（ａ）に示す第７変形例のように側部緩衝部材３５を形成しても良く、また図７（ｂ）に示す第８変形例のように側部緩衝部材３６を形成しても良い。
【００６２】
すなわち、図７（ａ）に示す第７変形例の側部緩衝部材３５は、低い周波数の振動伝達率が低い第１緩衝層３５ａと、高い周波数の振動伝達率が低い第２緩衝層３５ｂとを積層したものである。この場合、第１緩衝層３５ａは硬度の硬いシリコーンゲルで形成されており、第２緩衝層３５ｂは第１緩衝層３５ａの硬度よりも柔らかいシリコーンゲルで形成されている。このような側部緩衝部材３５においても、上述した実施形態と同様、第１緩衝層３５ａと第２緩衝層３５ｂとによって周波数の低い振動と周波数の高い振動とを確実に且つ良好に減衰させて緩衝することができる。
【００６３】
また、図７（ｂ）に示す第８変形例の側部緩衝部材３６は、低い周波数の振動伝達率が低い第１緩衝層３６ａと、中間の周波数の振動伝達率が低い第２緩衝層３６ｂと、高い周波数の振動伝達率が低い第３緩衝層３６ｃとを積層したものである。この場合、第１緩衝層３６ａは硬度の硬いシリコーンゲルで形成されており、第２緩衝層３６ｂは第１緩衝層３６ａの硬度よりも柔らかいシリコーンゲルで形成されており、第３緩衝層３６ｃは第２緩衝層３６ｂの硬度よりも更に柔らかいシリコーンゲルで形成されている。
【００６４】
このような側部緩衝部材３６においても、第１緩衝層３６ａと第２緩衝層３６ｂと第３緩衝層３６ｃとによって周波数の低い振動から周波数の高い振動までを確実に且つ良好に減衰させて緩衝することができるので、上述した実施形態よりも衝撃などの振動を確実に且つ良好に減衰させて緩衝することができる。
【００６５】
さらに、上述した実施形態およびその各変形例では、腕時計に適用した場合について述べたが、必ずしも腕時計である必要はなく、例えばトラベルウオッチ、目覚まし時計、置き時計、掛け時計などの各種の時計に適用することができるほか、必ずしも時計である必要はなく、例えば携帯電話機、携帯情報処理端末機などの電子機器にも広く適用することができる。
【００６６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６７】
（付記）
請求項１に記載の発明は、機器ケースとこの機器ケース内に配置されるモジュールとの間に緩衝部材を配置した緩衝構造において、前記緩衝部材は、予め定められた周波数に対する振動伝達率がそれぞれ異なる複数の緩衝層を積層させて形成されていることを特徴とする緩衝構造である。
【００６８】
請求項２に記載の発明は、請求項１に記載の緩衝構造において、前記複数の緩衝層は、少なくとも第１緩衝層と第２緩衝層とを備え、前記第１緩衝層は低い周波数の振動伝達率が低く形成され、前記第２緩衝層は前記第１緩衝層よりも高い周波数の振動伝達率が低く形成されていることを特徴とする緩衝構造である。
【００６９】
請求項３に記載の発明は、請求項２に記載の緩衝構造において、前記第１緩衝層は予め定められた厚みを有する板状に形成され、前記第２緩衝層は前記第１緩衝層に配列された複数の突起部で形成されていることを特徴とする緩衝構造である。
【００７０】
請求項４に記載の発明は、請求項３に記載の緩衝構造において、前記緩衝部材は、前記第１衝撃層が短柱の板状に形成され、前記第２緩衝層の前記複数の突起部がそれぞれドーム状に形成されていることを特徴とする緩衝構造である。
【００７１】
請求項５に記載の発明は、請求項２〜請求項４のいずれかに記載の緩衝構造において、前記第１緩衝層は硬度の硬いシリコーンゲルで形成され、第２緩衝層は前記第１緩衝層の硬度よりも柔らかいシリコーンゲルで形成されていることを特徴とする緩衝構造である。
【００７２】
請求項６に記載の発明は、請求項１〜請求項５のいずれかに記載の緩衝構造において、前記緩衝部材は、弾性を有する連続シートに複数配列されていることを特徴とする緩衝構造である。
【００７３】
請求項７に記載の発明は、請求項１〜請求項６のいずれかに記載の緩衝構造において、前記緩衝部材は、前記モジュールの外周面とこれに対面する前記機器ケースの内周面との間に複数配置されていることを特徴とする緩衝構造である。
【００７４】
請求項８に記載の発明は、請求項１〜請求項７のいずれかに記載の緩衝構造において、前記モジュールの下面とこれに対面する前記機器ケースの下面との間に下部緩衝部材が配置され、前記モジュールの上面とこれに対面する前記機器ケースの上面との間に上部緩衝部材が配置されていることを特徴とする緩衝構造である。
【００７５】
請求項９に記載の発明は、請求項１に記載された緩衝構造を備えたことを特徴とする電子機器である。
【符号の説明】
【００７６】
１  腕時計ケース
２  時計ガラス
３  裏蓋
４  時計モジュール
５、２６〜３０、３５、３６  側部緩衝部材
６  下部緩衝部材
７  上部緩衝部材
１３  ハウジング
２０  押えリング
２１、２６ａ〜２９ａ、３１、３３、３５ａ、３６ａ、３７ａ  第１緩衝層
２２、２６ｂ〜２９ｂ、３２、３４、３５ｂ、３６ｂ  第２緩衝層
２２ａ、３１ａ、３３ａ  第１突起部
２２ｂ、３１ｂ、３３ｂ  第２突起部
２３  連続シート
３６ｃ  第３緩衝層
３７  押釦スイッチ受け部材
【図１】
0005910999.tif 000002
【図２】
0005910999.tif 000003
【図３】
0005910999.tif 000004
【図４】
0005910999.tif 000005
【図５】
0005910999.tif 000006
【図６】
0005910999.tif 000007
【図７】
0005910999.tif 000008